(57)【要約】      （修正有）【課題】結合と脱着が容易で、回転時摩耗が発生しないようにしたチェーンブロック玩具を提供する。【解決手段】上下に位置された垂直台１１の間に隔壁１５によって雄結合部２０が結合される雌結合部１０の結合空間が複数個で具備された組み立てブロックにおいて、雌結合部１０に複数の結合空間を構成するための隔壁１５の左右両側に開口溝１６を形成して雄結合部２０を結合するか、または脱着するか、または結合された状態で回転時、雌結合部１０が左右でローリングが発生され、雄結合部２０の結合と脱着が容易でありながら、回転時摩擦を最小化して摩耗が発生されないようにした。【選択図】図６
0003221413.tif 000002
【実用新案登録請求の範囲】
【請求項１】
上下に位置された垂直台（１１）の間に隔壁（１５）によって雄結合部（２０）が結合される雌結合部（１０）の結合空間（１２）が複数個で具備された組み立てブロックにおいて、
前記雌結合部（１０）に複数の前記結合空間（１２）を構成するための前記隔壁（１５）の左右両側に開口溝（１６）を形成して前記雄結合部（２０）を結合するか、または脱着するか、または結合された状態で回転時、前記雌結合部（１０）が左右でローリングが発生され、前記雄結合部（２０）の結合と脱着が容易でありながら、回転時摩擦を最小化して摩耗が発生されないようにした左右ローリングで弾性作用されて結合を容易にしながら摩耗を防止したチェーンブロック玩具。
【請求項２】
前記隔壁（１５）に前記開口溝（１６）を形成しないで前記隔壁（１５）の幅を前記垂直台（１１）の幅より幅長さを短く形成し、上下に対称になった前記垂直台（１１）の内側真中に位置するようにして前記垂直台（１１）が前記隔壁（１５）によって支持力が維持されながら左右ローリング作用が等しく発生するようにすることを特徴とする請求項１に記載の左右ローリングで弾性作用されて結合を容易にしながら摩耗を防止したチェーンブロック玩具。
【請求項３】
前記隔壁（１５）に形成された前記開口溝（１６）の内側方向に前記開口溝（１６）の切開された幅よりもう少し大きい円形または四角模様の補強孔（１７）を形成し、左右ローリングによる弾性抵抗を発生させて弾性作用をさらに向上するようになることを特徴とする請求項１に記載の左右ローリングで弾性作用されて結合を容易にしながら摩耗を防止したチェーンブロック玩具。
【請求項４】
前記隔壁（１５）に形成された前記開口溝（１６）は上下多段で形成されることを特徴とする請求項１に記載の左右ローリングで弾性作用されて結合を容易にしながら摩耗を防止したチェーンブロック玩具。
【請求項５】
前記開口溝（１６）は前記隔壁（１５）の外側両末端で内側方向の中央方向に傾くように形成されることを特徴とする請求項１に記載の左右ローリングで弾性作用されて結合を容易にしながら摩耗を防止したチェーンブロック玩具。
【考案の詳細な説明】
【技術分野】
【０００１】
本考案は、雌結合部と雄結合部を利用していくつかの組み立てブロックを挟み方式で連結して組み立てるチェーンブロック玩具に関し、特に、雌結合部が複数で形成された組み立てブロックにまた他の組み立てブロックの結合と脱着が容易で回転時摩耗が発生されないようにしたチェーンブロック玩具に関する。
【背景技術】
【０００２】
現在、このような用途で使用されるチェーンブロック玩具は、組み立てブロックの雌結合部にまた他の組み立てブロックの雄結合部をチェーン式で連結して平面や立体で多様な形態の造形物で組み立てて子供達の創意力発達のための玩具で使用されているものである。
【０００３】
このようなチェーンブロック玩具は、図１に示されたように雌結合部に雄結合部２００が噛合い方式で結合されて任意に分離されないながら、結合された状態で１８０゜範囲内で自由な回転が可能に結合されるものであり、このような結合のために雄結合部２００には内側中央にガイド溝２１０とわくには内入溝２２０が一定間隔で形成され、雌結合部１００には内側中央にガイド溝２１０が挟まれるガイド突起１３０と、ある一側に内入溝２２０に係止されて回転を断続するストッパ突起１４０が形成されているものである。
【０００４】
したがって、チェーンブロック玩具が結合されて回転が可能であり、回転された状態で角度が固定されて組み立ててようとする造形物を多様な形状で組み立てるようにしたものである。
【０００５】
一方、多様な形状の造形物で組み立てるために組み立てブロックはさまざまな形態で使用するようになるが、このような組み立てブロックは、雄結合部と雌結合部で構成された組み立てブロックと、複数の雌結合部だけで構成された組み立てブロックと、雄結合部だけで構成された組み立てブロックと、両側に雄結合部が形成されて中央に複数の雌結合部が形成された組み立てブロックと、雄結合部で雌結合部の長さを長くして複数の雌結合部が形成された組み立てブロックなど多様な組み立てブロックを使用することで多様な造形物の組み立てが可能になるものである。
【０００６】
この時、雌結合部１００は上下で垂直台１１０が位置され、その間に雄結合部２００が挟まれる結合空間１２０が形成された構造でなされるようになるが、雌結合部１００を複数個で形成するためには必ず隔壁１５０が形成されるものである。
【０００７】
しかし、このような隔壁１５０によって垂直台１１０が堅固に支持された状態になりながら雌結合部１００の結合空間１２０に雄結合部２００の結合や脱着が図２のようにきつめになされるようになるものである。
【０００８】
すなわち、力が弱い乳児や子供が組み立てブロックを結合するために強制結合のための力が要求されるが、乳児や子供にはこのような強制結合のための力の発生が非常に大変であるため組み立てブロックの組み立てがとても難しい問題が発生されるものである。
【０００９】
また、組み立てブロックが結合された状態で角度調節のための回転時にも隔壁１５０によって堅固に支持された垂直台１１０が摩擦による摩耗によって粉が発生されるものであり、このような摩耗は組み立てブロックの寿命を縮めるようになって組み立てブロックで活用することができなくなる問題と摩耗によって発生された粉を乳児や子供が摂取するようになる場合衛生と健康に問題を発生させるようになるものである。
【考案の概要】
【考案が解決しようとする課題】
【００１０】
したがって本考案は、前記の問題点を解決するためのものであり、複数個でなされた雌結合部に雄結合部の結合と脱着が容易にして組み立てブロックが結合された状態で回転時に摩擦による摩耗によって粉が発生されないようにすることで衛生的な使用が可能であるようにしたものである。
【課題を解決するための手段】
【００１１】
前記の目的を達成するための技術的思想としての本考案は、上下に位置された垂直台の間に隔壁によって雄結合部が結合される雌結合部が複数個で具備された組み立てブロックにおいて、前記複数の雌結合部を構成するための隔壁に開口溝を形成して雄結合部を結合するか、または脱着するか、または結合された状態で回転するときに、雌結合部の垂直台が左右にローリングが発生されて結合と脱着が容易でありながら摩擦を最小化して摩耗が発生されないようにしたものである。
【００１２】
また、前記隔壁の幅を垂直台の幅より短く形成しながら対称になった垂直台の内側中央に位置するようにしても垂直台が隔壁によって支持力が維持されることはもちろん、雌結合部に雄結合部を結合時に等しい弾性作用が発生されるようにしたものである。
【００１３】
また、隔壁に形成された開口溝の内側方向には開口溝の切開された幅よりもう少し大きい円形または四角模様の補強孔を形成して弾性作用をより向上させながらも弾性抵抗を制御して組み立てブロック間の結合をより容易にしたものである。
【００１４】
前記隔壁に形成された開口溝は上下多段で形成されるか、または左右両側に外側両末端で内側方向中央に傾くように形成されても等しい弾性作用効果を有するように形成されるものである。
【考案の効果】
【００１５】
したがって、本考案のチェーンブロック玩具によれば、複数個で形成された雌結合部に雄結合部が結合される時隔壁に形成された開口溝によって左右にローリングによる弾性効果を極大化して乳児や子供が易しく結合や脱着を容易に操作することができ、使用の容易性と商品の品質を向上するようになる効果があるものであり、組み立てブロックが結合された状態で回転時にも摩擦力が最小化され、摩耗による粉が発生されなくなって子供達の衛生と健康のための安全な遊びを提供するようになるものである。
【図面の簡単な説明】
【００１６】
【図１】従来の雌結合部を示した状態図である。
【図２】従来の雌結合部に雄結合部が結合される状態の断面図である。
【図３】本考案の雌結合部を形成する隔壁に、開口溝が形成された状態図である。
【図４】本考案の開口溝によって雌結合部が左右ローリングされる状態の断面図である。
【図５】本考案の雌結合部に雄結合部が結合される状態図である。
【図６】本考案の雌結合部の左右ローリングによって雄結合部が結合される状態図である。
【図７】本考案の雌結合部が形成された多様な組み立てブロックの斜視図である。
【図８】本考案の雌結合部が形成された多様な組み立てブロックの斜視図である。
【図９】本考案の雌結合部が形成された多様な組み立てブロックの斜視図である。
【図１０】本考案の雌結合部の左右ローリング作用のためのまた他の隔壁構造を示した斜視図である。
【図１１】本考案の雌結合部の弾性作用を向上した補強孔を示した状態図である。
【図１２】本考案の隔壁に開口溝が多段で形成された状態の断面図である。
【図１３】本考案の開口溝のまた他の構造を示した断面図である。
【考案を実施するための形態】
【００１７】
考案の実施のための最善の形態は、上下に位置された垂直台１１の間に隔壁１５によって雄結合部２０が結合される雌結合部１０の結合空間１２が複数個で具備された組み立てブロックにおいて、前記雌結合部１０に複数の結合空間１２を構成するための隔壁１５の左右両側に開口溝１６を形成して前記雄結合部２０を結合するか、または脱着するか、または結合された状態で回転時に雌結合部１０が左右でローリングが発生されて雄結合部２０の結合と脱着が容易でありながら回転時摩擦を最小化して摩耗が発生されないようにした左右ローリングで弾性作用されて結合を容易にしながら摩耗を防止したチェーンブロック玩具である。
【００１８】
以下、添付図面を参照して本考案を詳しく説明すれば次のようである。
【００１９】
先ず、本考案は雄結合部が雌結合部に結合されて多様な造形物に組み立てされるものであり、雄結合部が雌結合部に結合された状態で任意に分離されないようにしながらも結合された状態で１８０゜範囲内で回転が可能になるように結合される組み立てブロックに関する。
【００２０】
このような組み立て構造を有するようにするために雌結合部１０の結合空間１２には雄結合部２０が結合された状態で噛合い結合されて任意に分離されないようにしながら結合された状態で回転が可能になるようにガイド突起１３が形成されて雄結合部２０にはガイド溝２１が形成されて、回転時に回転された角度で固定されるようにするために雌結合部１０の結合空間１２の枠の一側にはストッパ突起１４が形成されて雄結合部２０には内入面２３によって形成される枠の壁に係止溝２２が形成される構造でなされたものであり、前記雌結合部１０の垂直台１１の枠には内入空間１１aが形成された内壁と外壁で形成され、製品の軽量性を提供すると共に製造時に成型の容易性を提供するようになるものであるが、このようなことが本考案の目的を制限するものではない。
【００２１】
本考案の雌結合部１０は、図３乃至図５のように多様な造形物の組み立てが可能になるように雄結合部２０が結合される結合空間１２が隔壁１５によって複数個で具備され、前記複数個で具備された結合空間１２を形成するための隔壁１５の左右両側に開口溝１６を形成するようにしたものである。
【００２２】
したがって、雌結合部１０に雄結合部２０を結合するか、または脱着するか、または結合された状態で回転時にも雌結合部１０が隔壁１５に形成された開口溝１６によって左右でローリングが発生されながら雄結合部２０の結合と脱着が容易になって、雄結合部２０が結合された状態で回転時にもローリング作用によって摩擦を最小化して摩耗が発生されなくなるものである。
【００２３】
すなわち、結合空間１２が複数個で形成された雌結合部１０に雄結合部２０が結合時に隔壁１５の左右両側に形成された開口溝１６の幅程度だけ左右ローリングによる弾性作用が発生され、雄結合部２０が挿入される方向に結合空間１２が離れて 反対方向は収縮されながら結合がなされて、結合が完了すれば元の状態に復元されて正確に噛合いされて結合されるものである。
【００２４】
一方、図７乃至図９は、雄結合部１０が結合される結合空間１２が隔壁１５によって複数個の雌結合部１０が形成された組み立てブロックの多様な実施例を示したものであるが、図面に示されなくても隔壁１５によって結合空間１２が複数個備えられた雌結合部１０で構成された組み立てブロックにはすべて適用されるものである。
【００２５】
この時、図１０は左右ローリングによって弾性作用される隔壁１５のまた他の実施例を示したものであり、前記隔壁１５に開口溝１６を形成しないで隔壁１５の幅を垂直台１１の幅より幅長さを短く形成し、上下に対称になった垂直台１１の内側真中に位置されて支持するようにしたものである。
【００２６】
このようなことは、前記垂直台１１が隔壁１５によって支持力が維持されながらも左右ローリング作用が等しく発生され、雄結合部２０の結合及び脱着が容易さと回転時摩耗が発生されなくなるものである。
【００２７】
また図１１は、前記隔壁１５に形成された開口溝１６のまた他の実施例として、内側方向に開口溝１６の切開された幅よりもう少し大きい補強孔１７を形成し、前記補強孔１７は円形や四角模様で形成するようにしたものである。
【００２８】
したがって、雄結合部２０が結合されながら左右ローリングが発生される場合補強孔１７で開口溝１５の左右ローリングされる弾性抵抗を発生させて弾性作用がさらに向上されて結合と脱着が容易になるものである。
【００２９】
また図１２は、前記隔壁１５のまた他の実施例として、前記開口溝１６を上下多段で形成することで、雄結合部２０が雌結合部１０の結合空間１２に結合される時結合方向が均一な方向に挟まれない場合にローリングによる弾性作用が上下で分散され、正確な方向で組み立てされない場合にも易しく結合されるものである。
【００３０】
すなわち、雄結合部が結合されながらある一側の方向に力がさらに加えられる場合に多段で形成された開口溝１６が加えられる方向にさらに弾性作用が発生されながら隔壁１５で加重される加圧力を分散するようになる効果があるものである。
【００３１】
また図１３は、開口溝１６のまた他の実施例として、前記開口溝１６は垂直台１１と連結される隔壁１５の外側両末端から内側方向にますます幅が小くなるように傾くように形成することで、雄結合部２０が結合されながら左右ローリングが発生される時弾性作用を等しく発生されながらも雌結合部１０を構成する上下垂直台１１を連結して支持する隔壁１５を補強して折れることを防止するようになるものである。
【００３２】
したがって、雌結合部１０の隔壁１５によって複数個で形成される結合空間１２に雄結合部２０が結合時に左右ローリングによる弾性作用で子供達が易しく結合と脱着ができることは勿論で、回転作動時にも左右ローリングによる弾性作用で摩擦が発生されなくなりながら摩耗による粉が発生されなくなって、子供達が安全に組み立てブロック遊びができるようになるものである。
【図１】
0003221413.tif 000003
【図２】
0003221413.tif 000004
【図３】
0003221413.tif 000005
【図４】
0003221413.tif 000006
【図５】
0003221413.tif 000007
【図６】
0003221413.tif 000008
【図７】
0003221413.tif 000009
【図８】
0003221413.tif 000010
【図９】
0003221413.tif 000011
【図１０】
0003221413.tif 000012
【図１１】
0003221413.tif 000013
【図１２】
0003221413.tif 000014
【図１３】
0003221413.tif 000015